(57)【要約】  ビデオフォン（ＶＰ）サービスへの電話加入者が加入する時、コントロールモジュールは、その電話加入者によってサポートされた音声及び画像の符号化フォームを取り入れる。その符号化フォームは、予め、準備されるか又は規定されたものである。また、前記コントロールモジュールは、リングバックトーン及びリングバックイメージを、ビデオフォン（ＶＰ）シリーズのプロトコルに基づく音声及び画像のチャンネルを経由して、発呼した前記電話加入者側で再生する。本発明に係る第３世代のビデオフォン（ＶＰ）サービスシステムによれば、カスタマイズされたリングバックトーンを高品位かつ均質に再生できることに加え、それと同時にリングバックイメージを提供することも可能である。
2008533778.tif 000002
【特許請求の範囲】
【請求項１】
プロトコルリゾリューション（protocol resolution）を可能にしたコントロールモジュールがネットワーク側に配設された、ビデオフォン（ＶＰ）サービスにおけるリングバックトーン（Ring Back Tone）及びリングバックイメージ（Ring Back Image）の処理方法であって、
前記コントロールモジュールにより、ビデオフォン（ＶＰ）サービスにおける発呼ユーザ端末（ＵＥ）によってサポートされている音声及び画像の符号化フォーマットを取得する段階と、
前記コントロールモジュールにより、前記リングバックトーン及びリングバックイメージを、ビデオフォン（ＶＰ）シリーズのプロトコルによって規定されている音声及び画像のチャンネルを経由して、前記発呼ユーザ端末（ＵＥ）で再生する段階と、
を備えたことを特徴とするビデオフォン（ＶＰ）サービスにおけるリングバックトーン及びリングバックイメージの処理方法。
【請求項２】
前記コントロールモジュールが、
無線ネットワークコントローラ（ＲＮＣ）に、呼出（Alerting）のダイレクトトランスファー（Direct Transfer）メッセージを送信する準備をする時、
又は、無線アクセスベアラー（ＲＡＢ：Radio Access bearer）のアサインメントレスポンス（Assignment Response）を受信した後であって無線ネットワークコントローラ（ＲＮＣ）へ接続するためのダイレクトトランスファー（Direct Transfer）メッセージを送信する準備をする前に、
実行されることを特徴とする請求項１に記載のビデオフォン（ＶＰ）サービスにおけるリングバックトーン及びリングバックイメージの処理方法。
【請求項３】
ビデオフォン（ＶＰ）サービスにおける着呼ユーザ端末（ＵＥ）から、接続又は切断のメッセージを受信した後に、
リングバックトーン及びリングバックイメージの再生を停止する段階を有することを特徴とする請求項２に記載のビデオフォン（ＶＰ）サービスにおけるリングバックトーン及びリングバックイメージの処理方法。
【請求項４】
前記音声及び画像の符号化フォーマットを取得する段階には、
前記発呼ユーザ端末（ＵＥ）と前記着呼ユーザ端末（ＵＥ）との間で相互間の情報構成要素（ＩＥｓ：Information Elements）を解析する段階と、
前記発呼ユーザ端末（ＵＥ）と前記着呼ユーザ端末（ＵＥ）との間で転送された前記リングバックトーン及びリングバックイメージを、コントロールモジュールによって遮蔽する段階と
を含むことを特徴とする請求項３に記載のビデオフォン（ＶＰ）サービスにおけるリングバックトーン及びリングバックイメージの処理方法。
【請求項５】
前記音声及び画像の符号化フォーマットを取得する段階は、
予め、前記コントロールモジュールと前記発呼ユーザ端末（ＵＥ）との間の音声及び画像の符号化フォーマットを要求するか又はネゴシエイトする段階を有することを特徴とする請求項３に記載のビデオフォン（ＶＰ）サービスにおけるリングバックトーン及びリングバックイメージの処理方法。
【請求項６】
前記発呼ユーザ端末（ＵＥ）での前記リングバックトーン及びリングバックイメージの再生は、
６４ＫｂｓのＣＳトラフィックチャンネルを経由することを特徴とする請求項４又は請求項５に記載のビデオフォン（ＶＰ）サービスにおけるリングバックトーン及びリングバックイメージの処理方法。
【請求項７】
ＷＣＤＭＡ（Wideband Code Division Multiple Access）システム、
ＴＤ−ＳＣＤＭＡ（Time Division Synchronous Code Division Multiple Access）システム、
ＰＳＴＮ（Public Switched Telephone Network）、
及びインターネット、のうち、
少なくとも１つに適合することを特徴とする請求項１ないし請求項５のいずれか一項に記載のビデオフォン（ＶＰ）サービスにおけるリングバックトーン及びリングバックイメージの処理方法。
【請求項８】
ＷＣＤＭＡシステム又はＴＤ−ＳＣＤＭＡシステムに適合する時、
前記コントロールモジュールは、コアネットワーク（ＣＮ：Core Network）の中のメディアゲートウェイ（ＭＧＷ：Media Gateway）又はモバイルスイッチングセンタ（ＭＳＣ：Mobile Switching Center）であり、かつ
ＰＳＴＮ又はインターネットに適合する時、
前記コントロールモジュールは、スイッチ又はルータ、
であることを特徴とする請求項７に記載のビデオフォン（ＶＰ）サービスにおけるリングバックトーン及びリングバックイメージの処理方法。
【請求項９】
発呼ユーザ端末（ＵＥ）へリングバックトーン及びリングバックイメージを送信する時、
ピア（Peer）ユーザ端末（ＵＥ）へデータを転送する代わりにユーザ端末（ＵＥ）データを遮蔽する段階と、
コアネットワーク（ＣＮ）とユーザ端末（ＵＥ）の間でビデオフォン（ＶＰ）リンクを維持する段階と、
を具備することを特徴とする請求項８に記載のビデオフォン（ＶＰ）サービスにおけるリングバックトーン及びリングバックイメージの処理方法。
【請求項１０】
コントロールモジュールと、
発呼ユーザ端末（ＵＥ）と、
着呼ユーザ端末（ＵＥ）と、
を備えたビデオフォン（ＶＰ）サービスにおけるリングバックトーン及びリングバックイメージの処理システムであって、
前記コントロールモジュールは、
ビデオフォン（ＶＰ）サービスにおける前記発呼ユーザ端末（ＵＥ）によってサポートされている音声及び画像の符号化フォーマットを維持すると共に、
さらに前記コントロールモジュールは、
ビデオフォン（ＶＰ）シリーズのプロトコルによって規定されている音声及び画像のチャンネルを経由して、
前記発呼ユーザ端末（ＵＥ）でリングバックトーン及びリングバックイメージを再生することを特徴とするビデオフォン（ＶＰ）サービスにおけるリングバックトーン及びリングバックイメージの処理システム。
【請求項１１】
コントロールモジュールは、
無線ネットワークコントローラ（ＲＮＣ）に呼出（Alerting）のダイレクトトランスファー（Direct Transfer）メッセージを送信する準備をする時、
又は、無線アクセスベアラー（ＲＡＢ）のアサインメントレスポンス（Assignment Response）を受信した後であって、無線ネットワークコントローラ（ＲＮＣ）へ接続するためのダイレクトトランスファー（Direct Transfer）メッセージを送信する準備をする前に、
前記発呼ユーザ端末（ＵＥ）によってサポートされている音声及び画像の符号化フォーマットを取得し、
前記発呼ユーザ端末（ＵＥ）でリングバックトーン及びリングバックイメージを再生することを特徴とする請求項１０に記載のビデオフォン（ＶＰ）サービスにおけるリングバックトーン及びリングバックイメージの処理システム。
【請求項１２】
コントロールモジュールは、
ビデオフォン（ＶＰ）サービスにおける着呼ユーザ端末（ＵＥ）から、
接続又は切断のメッセージを受信した後に、
リングバックトーン及びリングバックイメージの再生を停止することを特徴とする請求項１１に記載のビデオフォン（ＶＰ）サービスにおけるリングバックトーン及びリングバックイメージの処理システム。
【請求項１３】
前記コントロールモジュールは、
前記発呼ユーザ端末（ＵＥ）と前記着呼ユーザ端末（ＵＥ）と間で相互間のの情報構成要素（ＩＥｓ）を解析することによって音声及び画像の符号化フォーマットを取得し、
前記コントロールモジュールは、
ビデオフォン（ＶＰ）サービスにおける着呼ユーザ端末（ＵＥ）から接続又は切断のメッセージを受信した後に、
前記発呼ユーザ端末（ＵＥ）と前記着呼ユーザ端末（ＵＥ）との間で転送されたリングバックトーン及びリングバックイメージを遮蔽することを特徴とする請求項１２に記載のビデオフォン（ＶＰ）サービスにおけるリングバックトーン及びリングバックイメージの処理システム。
【請求項１４】
前記コントロールモジュールは、
前記発呼ユーザ端末（ＵＥ）と前記着呼ユーザ端末（ＵＥ）との間で、
音声及び画像の符号化フォーマットを、予め、要求するか又はネゴシエイトすることを特徴とする請求項１２に記載のビデオフォン（ＶＰ）サービスにおけるリングバックトーン及びリングバックイメージの処理システム。
【請求項１５】
前記コントロールモジュールは、
前記発呼ユーザ端末（ＵＥ）で、
前記リングバックトーン及びリングバックイメージを、
６４ＫｂｓのＣＳトラフィックチャンネルを経由して再生することを特徴とする請求項１３又は請求項１４に記載のビデオフォン（ＶＰ）サービスにおけるリングバックトーン及びリングバックイメージの処理システム。
【請求項１６】
ＷＣＤＭＡ（Wideband Code Division Multiple Access）システム、
ＴＤ−ＳＣＤＭＡ（Time Division Synchronous Code Division Multiple Access）システム、
ＰＳＴＮ（Public Switched Telephone Network）、又はインターネットに適合することを特徴とする請求項１０ないし請求項１４のいずれか一項に記載のビデオフォン（ＶＰ）サービスにおけるリングバックトーン及びリングバックイメージの処理システム。
【請求項１７】
前記システムをＷＣＤＭＡシステム又は前記ＴＤ−ＳＣＤＭＡシステムで用いる時、
前記コントロールモジュールは、
コアネットワーク（ＣＮ：Core Network）の中のメディアゲートウェイ（ＭＧＷ：Media Gateway）又はモバイルスイッチングセンタ（ＭＳＣ：Mobile Switching Center）であると共に、
前記コアネットワーク（ＣＮ：Core Network）は、
前記発呼ユーザ端末（ＵＥ）と前記着呼ユーザ端末（ＵＥ）との間の相互の情報構成要素（ＩＥｓ）に基づいたビデオフォン（ＶＰ）サービスにおける発呼ユーザ端末（ＵＥ）によってサポートされている音声及び画像の符号化フォーマットを取得し、
前記情報構成要素（ＩＥｓ）の符号化ネゴシエイション信号（coding negotiation signaling）は、発呼ユーザ端末（ＵＥ）によってサポートされている画像及び画像の符号化フォーマットを含み、
ＰＳＴＮ又はインターネットで用いる時、
前記コントロールモジュールは、スイッチ又はルータであることを特徴とする請求項１６に記載のビデオフォン（ＶＰ）サービスにおけるリングバックトーン及びリングバックイメージの処理システム。
【請求項１８】
前記発呼ユーザ端末（ＵＥ）及び着呼ユーザ端末（ＵＥ）へ前記リングバックトーン及びリングバックイメージを送信する時、
コアネットワーク（ＣＮ）は、
ピア（ｐｅｅｒ）ユーザ端末（ＵＥ）へデータを転送する代わりにユーザ端末（ＵＥ）データを遮蔽すると共に、
コアネットワーク（ＣＮ）とユーザ端末（ＵＥ）の間で、
ビデオフォン（ＶＰ）リンクのみを維持することを特徴とする請求項１７に記載のビデオフォン（ＶＰ）サービスにおけるリングバックトーン及びリングバックイメージの処理システム。
【発明の詳細な説明】
【技術分野】
【０００１】
本発明は、移動体通信技術分野に関し、特に第３世代移動体通信技術によるテレビ電話（ＶＰ：Video Phone）の技術に関するものである。
【背景技術】
【０００２】
移動体通信技術の発達とネットワーク規模の拡大に伴うと共に、ユーザが多数となることによって、ユーザの要求は、より多様で個性化される傾向がある。これは、例えばダウンロードして得られるリングトーンズ（ring tones）及びマルチメディアメッセージングサービス（ＭＭＳ：Multimedia Messaging Service）等の様々な付加価値サービスの事業を開始する広範囲な基礎を構築するものである。
【０００３】
もし、移動体通信の業者が、既存のネットワーク資源を十分に使いこなして豊富で多様な付加価値サービスをユーザに提供できるならば、その業者はマーケットシェアを拡大すると共に、市場競争力を強化することができる。他方、既存のユーザグループを拡大し、電話ネットワークを十分に利用し、競争力を強化すると共に、ネットワーク全体への費用効果を向上させる。
【０００４】
また、付加価値のサービスの中でも、カラーリングリングバックトーン（ＣＲＢＴ：Coloring Ring Back Tone）サービスは、ユーザ端末（ＵＥ）が着呼した時に効果的である。特に、このサービスに加入するユーザ端末（ＵＥ）を、既設の単調な音に代えて、自分好みにした音を各種の方法で設定し、管理しても差し支えない。そして、カスタマイズされた音声は、音楽の一部か又は着呼ユーザ端末（ＵＥ）が設定したメッセージでも構わない。
【０００５】
ＣＲＢＴサービスは、ファッショナブルな要望に応じると共に、若いユーザの個性的な自己顕示に応じて提供される。そのユーザは、パーティー電話と称されている通話状態であっても、友人、恋人、顧客あるいは望まぬ相手などを、カテゴリー別に管理された音により間接的に取り扱うことが可能である。さらに、ＣＲＢＴサービスは、個々のユーザに加えて、企業にとってもなおさら価値あるものである。企業はリングバックトーンに広告を付け加えることも可能である。また、企業は異なる顧客ごとの特別なリングバックトーンを再生することで、親切にもてなすことも可能である。このようにして、このＣＲＢＴサービスは、ユーザグループを拡大しつつある。
【０００６】
このネットワークサービス事業は、第３世代の移動体通信技術の技術開発に伴い、より良い機能が提供されている。そして、このネットワークはより高い付加価値サービスを発表する場を与えている。また、ビデオフォン（ＶＰ）は第２世代の移動体通信技術（２Ｇ）にない第３世代の移動体通信技術に含まれる重要な特徴であることが周知である。
そして、ＷＣＤＭＡ（Wideband Code Division Multiple Access）システムと、ＴＤ−ＳＣＤＭＡ（Time Division Synchronous Code Division Multiple Access）システムの両方ともに、６４ＫｂｐｓのＣＳ（circuit switching）ベアラー（bearer）に基づいて、音声及び画像の同時かつ双方向通信を実現できるビデオフォン（ＶＰ）サービスを提供することが可能である。
【０００７】
図１，図２は、ビデオフォン（ＶＰ）サービスにおける発呼ユーザ端末（ＵＥ）の処理手順を示している。図２は、図１に示した処理手順に続く次の処理手順を示している。これら図１，図２に示す信号処理手順は、以下のネットワーク要素に関連している。
すなわち、ユーザ端末（ＵＥ：User’s Equipment）、無線ネットワークサブシステム（ＲＮＳ：Radio Network subsystem）、無線ネットワークコントローラ（ＲＮＣ：Radio Network Controller）、コアネットワーク（ＣＮ：Core Network）、無線資源を含むこれらのネットワーク要素に関連するプロトコル層（ＲＲＣ：The Protocol layers relating to these network entities include Radio Resource Control）、Ｎｏｄｅ−Ｂアプリケーションパート（ＮＢＡＰ：Node-Ｂ Application part）、ＡＴＭ適合レイヤー２（ＡＡＬ２：ＡＴＭ Adaptation Layer２）、専用チャンネル枠プロトコル（ＤＣＨ−ＦＰ：Dedicated Channel-Frame Protocol）、無線リンクプロトコル（ＲＬＣ：Radio Link Protocol）、及び無線アクセスネットワークアプリケーション（ＲＡＮＡＰ：Radio Access Network Application）に関連する。
これら図１，図２に示す処理手順には、チャンネルの設定、関連情報の交換、チャンネルの解除等の処理を含んでいる。なお、ＶＰシリーズのプロトコルが、コアネットワーク（ＣＮ）に適合し易い（transparent）ことについて、この分野に精通した技術者であれば理解できることである。また、コアネットワーク（ＣＮ）で処理中である以外の関連情報は、ＲＮＣの供給部（serving）を経由ながらコアネットワーク（ＣＮ）によってユーザ端末（ＵＥ）へ直送される。
【０００８】
ＷＣＤＭＡシステムとＴＤ−ＳＤＭＡシステムにおいて、コアネットワーク（ＣＮ）はユーザ端末（ＵＥ）に対し、リングバックトーンに関する２つのオプション処理を提供する。すなわち、着呼ユーザ端末（ＵＥ）がリングバックトーンを再生する処理、又はコアネットワーク（ＣＮ）がリングバックトーンを再生する処理である。前者は、着呼ユーザ端末（ＵＥ）が、コアネットワーク（ＣＮ）から送信された呼出（Alerting）メッセージに含まれた情報要素（ＩＥｓ：Information Elements）として格納されているリングバックトーンを再生する処理である。後者は、着呼ユーザ端末（ＵＥ）が、コアネットワーク（ＣＮ）から再生されたリングバックトーンを再生する処理である。
【０００９】
ここで重要な技術事項として、ユーザ端末（ＵＥ）における１２．２Ｋｂｐｓの音声は、コアネットワーク（ＣＮ）プロトコルの枠組みにおける音声ファイルによって供給されることがある。
このコアネットワーク（ＣＮ）は、カラーリングリングバックトーン（ＣＲＢＴ）サービスにおいて、１２．２Ｋｂｐｓ以上の音声チャンネルを認識することができる。
【発明の開示】
【発明が解決しようとする課題】
【００１０】
しかしながら、前述した重要な技術事項、すなわち実際のアプリケーションには、下記の問題を含んでいる。カラーリングリングバックトーン（ＣＲＢＴ）の技術を、ビデオフォン（ＶＰ）サービスに適用した時、リングバックトーン（Ring Back Tone）の効果が大きく異なるばかりか、リングバックイメージ（Ring Back Image）は実施不可能である。
【００１１】
そこで、下記のように問題の原因を究明した。
まず、着呼ユーザ端末（ＵＥ）の品質及び能力が大きく異なるのみならず、リングバックトーンは、ネットワークに適合するような一律の規格にはカスタマイズされていない。特に、重要な技術事項は、ビデオフォン（ＶＰ）サービスに対応するため、コアネットワーク（ＣＮ）はトランスペアレント(transparent)なチャンネルに設定することである。また、コアネットワーク（ＣＮ）のプロトコル層において、ＶＰの音声又は画像を高層(high-layer)に規定してはならない。
そして、ネットワークにおいて、リングバックトーンが１２．２Ｋｂｐｓ以上の音声チャンネルを占有するようにカスタマイズされたならば、そのリングバックトーンを、コアネットワーク（ＣＮ）が発呼端末（ＵＥ）で簡単に再生することができなくなる。ユーザ端末（ＵＥ）の相互間における処理が異なるため、リングバックトーンは、ネットワークにおけるコアネットワーク（ＣＮ）のトランスペアレント(transparent)なチャンネルの規格に適合するようにはカスタマイズされておらず、ユーザ端末（ＵＥ）に異なる効果を生じさせるような音声又は画像を再生することになる。さらに、関連するプロトコルとして、音声のみでなるビデオフォン（ＶＰ）サービスの形態は存在するが、リングバックトーンにリングバックイメージを関連付けたビデオフォン（ＶＰ）サービスの形態は存在しない。
すなわち、コアネットワーク（ＣＮ）は発呼端末（ＵＥ）で、カスタマイズされたリングバックイメージを再生することができない。
【課題を解決するための手段】
【００１２】
本発明に係る第３世代システムのビデオフォン（ＶＰ）サービスにおけるリングバックトーン及びリングバックイメージの処理方法によれば、カスタマイズされたリングバックトーン及びリングバックイメージを、高品位かつ均質に提供することが可能である。
【００１３】
また、本発明の他の実施態様に係る第３世代システムのビデオフォン（ＶＰ）サービスにおけるリングバックトーン及びリングバックイメージの処理システムによれば、高品質が保証され、カスタマイズされたリングバックトーン及びリングバックイメージを供給することが可能である。
【００１４】
前記目的を達成するために、本発明に係るビデオフォン（ＶＰ）サービスにおけるリングバックトーン及びリングバックイメージの処理方法には、以下の事項を含んでも構わない。
【００１５】
コントロールモジュールが、ビデオフォン（ＶＰ）サービスにおける発呼ユーザ端末（ＵＥ）によってサポートされている音声及び画像の符号化フォーマットを取得する段階。
【００１６】
コントロールモジュールは、ビデオフォン（ＶＰ）シリーズのプロトコルによって規定されている音声及び画像のチャンネルを経由して、リングバックトーン及びリングバックイメージを、発呼ユーザ端末（ＵＥ）で再生する。
【００１７】
この方法は下記の時系列によって実行される。
【００１８】
コントロールモジュールが、無線ネットワークコントローラ（ＲＮＣ）へ、呼出（Alerting）のダイレクトトランスファー（Direct Transfer）メッセージを送信する準備をする時、又は、コントロールモジュールが、無線アクセスベアラー（ＲＡＢ）のアサインメントレスポンス（Assignment Response）を受信した後であって無線ネットワークコントローラ（ＲＮＣ）へ接続するためのダイレクトトランスファー（Direct Transfer）メッセージを送信する準備をする際に実行される。
【００１９】
前記方法には、さらに下記事項を含んでいる。
【００２０】
ビデオフォン（ＶＰ）サービスにおける着呼ユーザ端末（ＵＥ）から、接続または切断のメッセージを受信した後、コントロールモジュールは、リングバックトーン及びリングバックイメージの再生を停止する。
【００２１】
段階Ａにおいて、前記音声及び画像の符号化フォーマットを取得する段階には、前記発呼ユーザ端末（ＵＥ）と前記着呼ユーザ端末（ＵＥ）と相互間の情報構成要素（ＩＥｓ：Information Elements）を解析する段階を含む。
この方法には、さらに下記事項を含んでいる。
【００２２】
コントロールモジュールは、発呼ユーザ端末（ＵＥ）と着呼ユーザ端末（ＵＥ）との間で転送されたリングバックトーン及びリングバックイメージをフィルタによって除去する。
【００２３】
コントロールモジュールは、予め、前記コントロールモジュールと前記発呼ユーザ端末（ＵＥ）との間の音声及び画像の符号化フォーマットを要求するか又はネゴシエイトする。また、コントロールモジュールは、６４ＫｂｓのＣＳトラフィックチャンネルを経由した発呼ユーザ端末（ＵＥ）により、リングバックトーン及びリングバックイメージを再生する。
【００２４】
さらに、前記方法は、ＷＣＤＭＡ（Wideband Code Division Multiple Access）システム、ＴＤ−ＳＣＤＭＡ（Time Division Synchronous Code Division Multiple Access）システム、ＰＳＴＮ（Public Switched Telephone Network）、及びインターネットに使用可能である。
【００２５】
本発明は前記目的を達成するために、コントロールモジュール、発呼ユーザ端末（ＵＥ）及び着呼ユーザ端末（ＵＥ）を備えたビデオフォン（ＶＰ）サービスにおけるリングバックトーン及びリングバックイメージの処理システムを提供する。前記コントロールモジュールは、ビデオフォン（ＶＰ）サービスにおける発呼ユーザ端末（ＵＥ）によってサポートされている音声及び画像の符号化フォーマットを取得する。コントロールモジュールは、前記音声及び画像の符号化フォーマットを用い、ビデオフォン（ＶＰ）サービスのプロトコルで規定されている音声及び画像のチャンネルを経由した、発呼ユーザ端末（ＵＥ）によってリングバックトーン及びリングバックイメージを再生する。
【００２６】
本発明の実施形態において、コアネットワーク（ＣＮ）は、発呼ユーザ端末（ＵＥ）によってサポートされている音声及び画像の符号化フォーマットを用い、ビデオフォン（ＶＰ）サービスのプロトコルによって規定されている音声及び画像のチャンネルを経由して、リングバックトーン及びリングバックイメージを再生する。
【００２７】
コアネットワーク（ＣＮ）は、リングバックトーン及びリングバックイメージを、発呼ユーザ端末（ＵＥ）によってサポートされている音声及び画像の符号化フォーマットを媒介することにより、異なる方式の発呼ユーザ端末（ＵＥ）で再生する。このようにして、発呼ユーザ端末（ＵＥ）にいたるトランスペアレント(transparent)なチャンネルを通じて転送されたリングバックトーンが、異なる再生音を生じるという誤りを避けるようにした。その結果、異なる方式の発呼ユーザ端末（ＵＥ）も、カスタマイズされたリングバックトーンをネットワーク経由で再生することが可能になるばかりでなく、ビデオフォン（ＶＰ）サービスにおけるリングバックトーンの再生品質が著しく向上した。また、本発明の実施形態によれば、リングバックトーンのみを実現した先行技術に比べて、より高品質のリングバックイメージを再生することが可能である。さらに、本発明の実施形態により、市場競争力が強化されると共に、操作者を助けるようなサービスや、より良いユーザの体験を生み出す事業が開始される。
［図面の簡単な説明］
【００２８】
図１はビデオフォン（ＶＰ）サービスにおける発呼ユーザに係る第１パートの信号流れの要部を示すフローチャートである。
【００２９】
図２はビデオフォン（ＶＰ）サービスにおける発呼ユーザに係る第２パートの信号流れの要部を示すフローチャートである。
【００３０】
図３は本発明の実施形態に係るビデオフォン（ＶＰ）サービスにおけるリングバックトーン及びリングバックイメージの処理システムの概略構成図である。
【００３１】
図４は本発明の実施形態に係る第３世代システムのビデオフォン（ＶＰ）サービスにおける発呼ユーザに係る第２パートの信号流れの要部を示すフローチャートである。
【００３２】
図５は図４に示したビデオフォン（ＶＰ）サービスにおけるリングバックトーン及びリングバックイメージの処理方法をさらに詳しく示すフローチャートである。
【００３３】
図６は本発明の実施形態に係る第３世代システムのビデオフォン（ＶＰ）サービスにおけるリングバックトーン及びリングバックイメージの処理方法を示すフローチャートである。
【発明を実施するための最良の形態】
【００３４】
本発明は、実施形態及び添付図面に符号を付して詳細に記載されている。なお、他の実施形態にも適用可能であると共に、構造上の変形実施例についても本発明の技術的範囲を逸脱することなくなされるものと了解される。
【００３５】
図３は本発明の実施形態に係るビデオフォン（ＶＰ）サービスにおけるリングバックトーン及びリングバックイメージの処理システムの概略構成図である。
【００３６】
図３に示すように、本システムは、コントロールモジュール１と、発呼ユーザ端末（ＵＥ）２及び着呼ユーザ端末（ＵＥ）３を備えている。
【００３７】
発呼ユーザ端末（ＵＥ）２が着呼ユーザ端末（ＵＥ）３へ発呼し、その着呼ユーザ端末（ＵＥ）３が呼に応答することを待っている時に、コントロールモジュール１は、音声及び画像の符号化フォーマットを取得する。この音声及び画像の符号化フォーマットは、ビデオフォン（ＶＰ）サービスにおける発呼ユーザ端末（ＵＥ）２によってサポートされている。そして、コントロールモジュール１は、発呼ユーザ端末（ＵＥ）２によってサポートされている符号化フォーマットを用いて、カスタマイズされた音声及び画像（リングバックトーン及びリングバックイメージ）を、発呼ユーザ端末（ＵＥ）２で再生する。
【００３８】
コントロールモジュール１は、発呼ユーザ端末（ＵＥ）２と着呼ユーザ端末（ＵＥ）３との間で、予め、相互の情報構成要素（ＩＥｓ：Information Elements）を解析するか、又は発呼ユーザ端末（ＵＥ）２とのネゴシエイトによって、ビデオフォン（ＶＰ）サービスにおける発呼ユーザ端末（ＵＥ）２がサポートする音声及び画像の符号化フォーマットを取得することが可能である。このようにして、本システムは、リングバックトーンの再生品質と効果を確実なものにすると共に、リングバックイメージをサポートすることができる。また、コントロールモジュール１は、ビデオフォン（ＶＰ）サービスにおける着呼ユーザ端末（ＵＥ）３によってサポートされている符号化フォーマットを取得することもできると共に、ビデオフォン（ＶＰ）シリーズのプロトコルにより規定された音声及び画像のチャンネルを通して着呼ユーザ端末（ＵＥ）３用にカスタマイズされた音声及び画像を再生することも可能である。
【００３９】
ビデオフォン（ＶＰ）サービスにおけるリングバックトーン及びリングバックイメージの処理システムが、ＷＣＤＭＡシステム又はＴＤ―ＳＣＤＭＡシステムに適合する時、コントロールモジュール１は、コアネットワーク（ＣＮ）上に配設されている形態でも構わない。また、本システムがＰＳＴＮ又はインターネットに適合する時、コントロールモジュール１は、発呼ユーザ端末（ＵＥ）２と着呼ユーザ端末（ＵＥ）３の間に介在するスイッチ又はルータに配設された形態でも構わない。
【００４０】
より好ましく本発明を記述する。すなわち、図３の概略構成図に示したシステムを基礎として、以下に、本発明のより良い実施形態を記述する。なお、この実施形態は、ＷＣＤＭＡシステム又はＴＤ−ＳＣＤＭＡシステムに適合するという前提に基づいていることを指摘すべきである。
【００４１】
図４は本発明の好ましい実施形態に係る第３世代システムのビデオフォン（ＶＰ）サービスにおけるリングバックトーン及びリングバックイメージの処理方法を示すフローチャートである。
本発明に係る方法は、以下の手順によって実行される。
まず、コントロールモジュールは、無線ネットワークコントローラ（ＲＮＣ）に呼出（Alerting）のダイレクトトランスファー（Direct Transfer）メッセージを送信する準備をする。あるいは、コントロールモジュールは、無線アクセスベアラー（ＲＡＢ）のアサインメントレスポンス（Assignment Response）を受信した後に、無線ネットワークコントローラ（ＲＮＣ）へ、接続のダイレクトトランスファー（Direct Transfer）メッセージを送信する準備をする。
【００４２】
段階３１０：コアネットワーク（ＣＮ）は、ビデオフォン（ＶＰ）サービスにおける発呼ユーザ端末（ＵＥ）と着呼ユーザ端末（ＵＥ）との相互間プロトコルを情報解析すると共に、発呼ユーザ端末（ＵＥ）によってサポートされている音声及び画像の符号化フォーマットを取得する。この段階で解析される相互間情報は、ビデオフォン（ＶＰ）サービスに関連する情報構成要素（ＩＥｓ：Information Elements）に基づくものでもよい。
【００４３】
段階３２０：コアネットワーク（ＣＮ）は、発呼ユーザ端末（ＵＥ）と着呼ユーザ端末（ＵＥ）との間で転送された音声及び画像を、選択的にフィルターするか遮蔽する。コアネットワーク（ＣＮ）は、前記２つの段階において、ビデオフォン（ＶＰ）シリーズのプロトコルを解析しなければならない。すなわち、コアネットワーク（ＣＮ）は、ビデオフォン（ＶＰ）シリーズのプロトコルにとって、トランスペアレント(transparent)なチャンネルではない。
【００４４】
段階３３０：コアネットワーク（ＣＮ）は、発呼ユーザ端末（ＵＥ）によってサポートされている音声及び画像の符号化フォーマットを用いて、リングバックトーン及びリングバックイメージを、発呼ユーザ端末（ＵＥ）で再生する。なお、このリングバックトーン及びリングバックイメージは、コアネットワーク（ＣＮ）において、カスタマイズされる。そして、前記リングバックトーン及びリングバックイメージは、６４ＫｂｓのＣＳトラフィックチャンネルを通して発呼ユーザ端末（ＵＥ）で再生される。
【００４５】
段階３４０：コアネットワーク（ＣＮ）は、着呼ユーザ端末（ＵＥ）から、接続又は切断のメッセージを受信したら、リングバックトーン及びリングバックイメージの再生を停止する。この接続メッセージは、着呼ユーザ端末（ＵＥ）が、発呼ユーザ端末（ＵＥ）からの呼を受信したことを示す。一方、切断メッセージは、着呼ユーザ端末（ＵＥ）が、発呼ユーザ端末（ＵＥ）からの呼を拒否することを示す。
【００４６】
図５は、図４に示したリングバックトーン及びリングバックイメージの処理方法をさらにフローチャートを用いて説明する。
【００４７】
図５に示すように、コアネットワーク（ＣＮ）におけるモバイルスイッチングセンタ（ＭＳＣ）が、無線ネットワークコントローラ（ＲＮＣ）に、呼出（Alerting）のダイレクトトランスファー（Direct Transfer）メッセージを送信する準備をする時、又は、無線アクセスベアラー（ＲＡＢ）のアサインメントレスポンス（Assignment Response）を受信した後であって無線ネットワークコントローラ（ＲＮＣ）へ接続するためのダイレクトトランスファー（Direct Transfer）メッセージを送信する準備をする前に、以下の方法を含む。
【００４８】
１）ＶＴ ＡＰＰの接続：呼出（Alerting）メッセージを受信した後、発呼ユーザ端末（ＵＥ）は、着呼ユーザ端末（ＵＥ）に対して、ＶＰ ＡＰＰチャンネルを設定するネゴシエイトを開始する。
【００４９】
２）ＶＰアプリケーション：セッションセットアップ (Session Setup) （（コーデックアラインド（codec aligned））：発呼ユーザ端末（ＵＥ）と着呼ユーザ端末（ＵＥ）との間にスレッドを設定して、コミュニケーションの準備をする。
【００５０】
３）ＶＰアプリケーション：コーデックスイニシャライゼーション(Codec’s initialization)：発呼ユーザ端末（ＵＥ）と着呼ユーザ端末（ＵＥ）とで符号化に関するネゴシエイションが完了した後、モバイルスイッチングセンタ（ＭＳＣ）は、符号化ネゴシエイション信号（coding negotiation signaling）の解析により発呼ユーザ端末（ＵＥ）によってサポートされている音声及び画像の符号化フォーマットを取得する。
【００５１】
４）ＶＰにおける音声及び映像のストリームを開く（ＲＸ）：発呼ユーザ端末（ＵＥ）と着呼ユーザ端末（ＵＥ）との間に音声及び画像のストリームポートが新設されると共に、画像情報を受信するために待機する。モバイルスイッチングセンタ（ＭＳＣ）は、発呼ユーザ端末（ＵＥ）及び着呼ユーザ端末（ＵＥ）が、処理において、解析することによって画像の送受信を把握している。前記処理は、相互プロトコル情報（protcol interacton inforamation）に基づいて実行される。この相互プロトコル情報は、符号化ネゴシエイション信号（coding negotiation signaling）を含んでいる。さらに、この符号化ネゴシエイション信号は、発呼ユーザ端末（ＵＥ）によってサポートされている音声及び画像の符号化フォーマットを含んでいる。したがって、モバイルスイッチングセンタ（ＭＳＣ）は、前記相互プロトコル情報を解析することによって、発呼ユーザ端末（ＵＥ）によってサポートされている音声及び画像の符号化フォーマットを取得することが可能である。
【００５２】
５）ＭＳＣは、発呼ユーザ端末（ＵＥ）へ、リングバックトーン及びリングバックイメージの送信を開始する。
【００５３】
６）モバイルスイッチングセンタ（ＭＳＣ）が、発呼ユーザ端末（ＵＥ）へ、リングバックトーン及びリングバックイメージを送信しているので、発呼ユーザ端末（ＵＥ）と着呼ユーザ端末（ＵＥ）との間で該当データが転送される必要はない。したがって、モバイルスイッチングセンタ（ＭＳＣ）は、ユーザ端末（ＵＥ）データを遮蔽する。そして、モバイルスイッチングセンタ（ＭＳＣ）は、ピア（ｐｅｅｒ）ユーザ端末（ＵＥ）へ前記該当情報を転送しない。ビデオフォン（ＶＰ）リンクが、モバイルスイッチングセンタ（ＭＳＣ）とユーザ端末（ＵＥ）の間に維持されているだけである（発呼ユーザ端末（ＵＥ）と着呼ユーザ端末（ＵＥ）との間で転送された音声及び画像を選択的にフィルターするか遮蔽する）。
【００５４】
７）着呼ユーザ端末（ＵＥ）から接続メッセージを受信した後、モバイルスイッチングセンタ（ＭＳＣ）は、接続メッセージを発呼ユーザ端末（ＵＥ）へ転送する。そして、リングバックトーン及びリングバックイメージの再生を停止する。
【００５５】
８）モバイルスイッチングセンタ（ＭＳＣ）は、ＡＣＫメッセージを発呼ユーザ端末（ＵＥ）から着呼ユーザ端末（ＵＥ）へ転送する。
【００５６】
９）モバイルスイッチングセンタ（ＭＳＣ）は、ユーザ端末（ＵＥ）データの転送を開始する。これにより、発呼ユーザ端末（ＵＥ）及び着呼ユーザ端末（ＵＥ）は、モバイルスイッチングセンタ（ＭＳＣ）から、リングバックトーン及びリングバックイメージの音声及び画像を、それ以上は受信しない。そして、モバイルスイッチングセンタ（ＭＳＣ）は、データをフィルターしないか又は遮蔽しないでデータの送受信を開始する。
【００５７】
前述した処理において、ユーザ端末（ＵＥ）が、着呼ユーザ端末（ＵＥ）へＶＰ呼を開始した時に、コアネットワーク（ＣＮ）のモバイルスイッチングセンタ（ＭＳＣ）が、品質の保証されたリングバックトーン及びリングバックイメージを、発呼ユーザ端末（ＵＥ）で再生するようにしても構わない。
【００５８】
また、コアネットワーク（ＣＮ）は、メディアゲートウェイ（ＭＧＷ）（ユーザデータを処理するために用いられる）及びモバイルスイッチングセンタ（ＭＳＣ）（コントロール信号を処理するために用いられる）を含んでいることに注意すべきである。モバイルスイッチングセンタ（ＭＳＣ）は、コントロール信号メッセージ（control signling message）を信号処理できるのみである（例えば、前記符号化に係る符号化ネゴシエイション信号（coding negotiation signaling）等）。そして、前記コントロール信号メッセージは、メディアゲートウェイ（ＭＧＷ）を経由してモバイルスイッチングセンタ（ＭＳＣ）へ送信される。メディアゲートウェイ（ＭＧＷ）は、ユーザ端末（ＵＥ）とコントロール信号との間のＶＰデータを処理することができる。したがって、コアネットワーク（ＣＮ）のモバイルスイッチングセンタ（ＭＳＣ）によって実行されるリングバックトーン及びリングバックイメージの再生処理は、メディアゲートウェイ（ＭＧＷ）によって実行するようにしても構わない。これらの処理は同じである。
【００５９】
本発明の前述した基本的原理に基づいて、図６に示した実施形態における他のモードは、ビデオフォン（ＶＰ）サービスにおける発呼ユーザ端末（ＵＥ）によってサポートされている音声及び画像の符号化フォーマットを取得するために用いられる。前述した本発明に係る好ましい実施形態と同様に、図６に示した処理が、下記の時に実行される。すなわち、コアネットワーク（ＣＮ）が、無線ネットワークコントローラ（ＲＮＣ）に、呼出（Alerting）のダイレクトトランスファー（Direct Transfer）メッセージを送信する準備をする時に、図６に示した処理が実行される。あるいは、コアネットワーク（ＣＮ）が、無線アクセスベアラー（ＲＡＢ）のアサインメントレスポンス（Assignment Response）を受信した後であって、無線ネットワークコントローラ（ＲＮＣ）へ接続するためのダイレクトトランスファー（Direct Transfer）メッセージを送信する準備をする前に、図６に示した処理が実行される。
【００６０】
図６に示すように、段階４１０において、コアネットワーク（ＣＮ）は、発呼ユーザ端末（ＵＥ）と共に、６４ＫｂｓのＣＳトラフィックチャンネルに基づいた音声及び画像の符号化フォーマットを要求するか、又はネゴシエイトする。なお、この段階は、段階４１０は、発呼ユーザ端末（ＵＥ）が、ＶＰ呼を開始した後であって、次の段階４２０が開始する前であれば、随時に実行しても構わない。
【００６１】
段階４２０：コアネットワーク（ＣＮ）は、段階４１０においてネゴシエイションにより取得された音声及び画像の符号化フォーマットに基づくリングバックトーン及びリングバックイメージを、６４ＫｂｓのＣＳトラフィックチャンネルを介して再生する。
前述した形態と同様に、リングバックトーン及びリングバックイメージは、コアネットワーク（ＣＮ）によってカスタマイズされ、６４ＫｂｓのＣＳトラフィックチャンネルを介して、発呼ユーザ端末（ＵＥ）で再生される。
【００６２】
段階４３０：コアネットワーク（ＣＮ）は、着呼ユーザ端末（ＵＥ）によって送信された接続又は切断のメッセージの受信時に、リングバックトーン及びリングバックイメージの再生を停止する。この接続メッセージは、着呼ユーザ端末（ＵＥ）が、発呼ユーザ端末（ＵＥ）からの発呼を認識することを表示する。また、この切断メッセージは、着呼ユーザ端末（ＵＥ）が、発呼ユーザ端末（ＵＥ）からの通話を拒否することを表示する。
【００６３】
ビデオフォン（ＶＰ）サービスにおけるリングバックトーン及びリングバックイメージの処理システムが、ＰＳＴＮ又はインターネット（インターネット利用のＩＰ電話）に適合する時、本システムの信号処理は、基本的に図４及び図５に記載されたものと同様である。ただし、この場合も、コントロールモジュールが発呼ユーザ端末（ＵＥ）と着呼ユーザ端末（ＵＥ）の間で、スイッチに含まれるかルータ含まれるか、あるいは、コントロールユニットが前記スイッチ又は前記ルータに含まれるか、といった点が異なる。
【００６４】
本発明に係る好ましい実施形態を説明しているが、当業者は、各種の修正例や本発明の技術思想から逸脱しない変形例を実施するかもしれない。そして、本発明は特許請求の範囲に記載された技術思想又は同等の範囲内の各種の修正例や変形例についても、本発明の技術範囲に属するものと見なして保護されることを意図するものである。
【図面の簡単な説明】
【００６５】
【図１】ビデオフォン（ＶＰ）サービスにおける発呼ユーザに係る第１パートの信号流れの要部を示すフローチャートである。
【図２】ビデオフォン（ＶＰ）サービスにおける発呼ユーザに係る第２パートの信号流れの要部を示すフローチャートである。
【図３】本発明の実施形態に係るビデオフォン（ＶＰ）サービスにおけるリングバックトーン及びリングバックイメージの処理システムの概略構成図である。
【図４】本発明の実施形態に係る第３世代システムのビデオフォン（ＶＰ）サービスにおけるリングバックトーン及びリングバックイメージの処理方法を示すフローチャートである。
【図５】図４に示したビデオフォン（ＶＰ）サービスにおけるリングバックトーン及びリングバックイメージの処理方法をさらに詳しく示すフローチャートである。
【図６】本発明の実施形態に係る第３世代システムのビデオフォン（ＶＰ）サービスにおけるリングバックトーン及びリングバックイメージの処理方法を示すフローチャートである。
【図１】
2008533778.tif 000003
【図２】
2008533778.tif 000004
【図３】
2008533778.tif 000005
【図４】
2008533778.tif 000006
【図５】
2008533778.tif 000007
【図６】
2008533778.tif 000008
【手続補正書】
【提出日】平成19年11月12日(2007.11.12)
【手続補正１】
【補正対象書類名】特許請求の範囲
【補正対象項目名】全文
【補正方法】変更
【補正の内容】
【特許請求の範囲】
【請求項１】
コントロールモジュールを内部に有するシステム内でのビデオフォン（ＶＰ）サービスにおけるリングバックトーン（Ring Back Tone）及びリングバックイメージ（Ring Back Image）の処理方法であって、
前記コントロールモジュールにより、ビデオフォン（ＶＰ）サービスにおける発呼ユーザ端末（ＵＥ）によってサポートされている音声及び画像の符号化フォーマットを取得する段階と、
前記コントロールモジュールにより、前記リングバックトーン及びリングバックイメージを、ビデオフォン（ＶＰ）シリーズのプロトコルによって規定されている音声及び画像のチャンネルを経由して、前記発呼ユーザ端末（ＵＥ）で再生する段階と、
を備えたことを特徴とするビデオフォン（ＶＰ）サービスにおけるリングバックトーン及びリングバックイメージの処理方法。
【請求項２】
前記コントロールモジュールが、
無線ネットワークコントローラ（ＲＮＣ）に、呼出（Alerting）のダイレクトトランスファー（Direct Transfer）メッセージを送信する準備をする時、
又は、無線アクセスベアラー（ＲＡＢ：Radio Access bearer）のアサインメントレスポンス（Assignment Response）を受信した後であって無線ネットワークコントローラ（ＲＮＣ）へ接続するためのダイレクトトランスファー（Direct Transfer）メッセージを送信する準備をする前に、
実行されることを特徴とする請求項１に記載のビデオフォン（ＶＰ）サービスにおけるリングバックトーン及びリングバックイメージの処理方法。
【請求項３】
ビデオフォン（ＶＰ）サービスにおける着呼ユーザ端末（ＵＥ）から、接続又は切断のメッセージを受信した後に、
リングバックトーン及びリングバックイメージの再生を停止する段階を有することを特徴とする請求項２に記載のビデオフォン（ＶＰ）サービスにおけるリングバックトーン及びリングバックイメージの処理方法。
【請求項４】
前記音声及び画像の符号化フォーマットを取得する段階には、
前記発呼ユーザ端末（ＵＥ）と前記着呼ユーザ端末（ＵＥ）との間で相互間の情報構成要素（ＩＥｓ：Information Elements）を解析する段階を含むことを特徴とする請求項３に記載のビデオフォン（ＶＰ）サービスにおけるリングバックトーン及びリングバックイメージの処理方法。
【請求項５】
前記発呼ユーザ端末（ＵＥ）と前記着呼ユーザ端末（ＵＥ）との間で転送された前記リングバックトーン及びリングバックイメージを、
コントロールモジュールによって遮蔽する段階を有することを特徴とする請求項４に記載のビデオフォン（ＶＰ）サービスにおけるリングバックトーン及びリングバックイメージの処理方法。
【請求項６】
前記音声及び画像の符号化フォーマットを取得する段階は、
予め、前記コントロールモジュールと前記発呼ユーザ端末（ＵＥ）との間の音声及び画像の符号化フォーマットを要求するか又はネゴシエイトする段階を有することを特徴とする請求項３に記載のビデオフォン（ＶＰ）サービスにおけるリングバックトーン及びリングバックイメージの処理方法。
【請求項７】
前記発呼ユーザ端末（ＵＥ）での前記リングバックトーン及びリングバックイメージの再生は、
６４ＫｂｓのＣＳトラフィックチャンネルを経由することを特徴とする請求項４又は請求項６に記載のビデオフォン（ＶＰ）サービスにおけるリングバックトーン及びリングバックイメージの処理方法。
【請求項８】
ＷＣＤＭＡ（Wideband Code Division Multiple Access）システム、
ＴＤ−ＳＣＤＭＡ（Time Division Synchronous Code Division Multiple Access）システム、
ＰＳＴＮ（Public Switched Telephone Network）、
及びインターネット、のうち、
少なくとも１つに適合することを特徴とする請求項１ないし請求項６のいずれか一項に記載のビデオフォン（ＶＰ）サービスにおけるリングバックトーン及びリングバックイメージの処理方法。
【請求項９】
ＷＣＤＭＡシステム又はＴＤ−ＳＣＤＭＡシステムに適合する時、
前記コントロールモジュールは、コアネットワーク（ＣＮ：Core Network）の中のメディアゲートウェイ（ＭＧＷ：Media Gateway）又はモバイルスイッチングセンタ（ＭＳＣ：Mobile Switching Center）であり、かつ
ＰＳＴＮ又はインターネットに適合する時、
前記コントロールモジュールは、スイッチ又はルータ、
であることを特徴とする請求項７に記載のビデオフォン（ＶＰ）サービスにおけるリングバックトーン及びリングバックイメージの処理方法。
【請求項１０】
発呼ユーザ端末（ＵＥ）へリングバックトーン及びリングバックイメージを送信する時、
ピア（ｐｅｅｒ）ユーザ端末（ＵＥ）へデータを転送する代わりにユーザ端末（ＵＥ）データを遮蔽する段階と、
コアネットワーク（ＣＮ）とユーザ端末（ＵＥ）の間でビデオフォン（ＶＰ）リンクを維持する段階を具備することを特徴とする請求項８に記載のビデオフォン（ＶＰ）サービスにおけるリングバックトーン及びリングバックイメージの処理方法。
【請求項１１】
コントロールモジュールと、
発呼ユーザ端末（ＵＥ）と、
着呼ユーザ端末（ＵＥ）と、
を備えたビデオフォン（ＶＰ）サービスにおけるリングバックトーン及びリングバックイメージの処理システムであって、
前記コントロールモジュールは、
ビデオフォン（ＶＰ）サービスにおける前記発呼ユーザ端末（ＵＥ）によってサポートされている音声及び画像の符号化フォーマットを維持すると共に、
さらに前記コントロールモジュールは、
前記ビデオフォン（ＶＰ）サービスにおける前記発呼ユーザ端末（ＵＥ）がサポートしている音声及び画像の符号化フォーマットを取得するように構成された取得ユニットと、
リングバックトーン及びリングバックイメージを、ビデオフォン（ＶＰ）サービスのプロトコルによって規定されている音声及び画像のチャンネルを経由して、発呼ユーザ端末（ＵＥ）へ再生するように構成された再生ユニットと、
を備えたことを特徴とするビデオフォン（ＶＰ）サービスにおけるリングバックトーン及びリングバックイメージの処理システム。
【請求項１２】
ＷＣＤＭＡ（Wideband Code Division Multiple Access）システム、
ＴＤ−ＳＣＤＭＡ（Time Division Synchronous Code Division Multiple Access）システム、
ＰＳＴＮ（Public Switched Telephone Network）、
及びインターネット、
のうち、少なくとも１つに適応可能であることを特徴とする請求項１１に記載のビデオフォン（ＶＰ）サービスにおけるリングバックトーン及びリングバックイメージの処理システム。
【請求項１３】
前記システムがＷＣＤＭＡシステム又は前記ＴＤ−ＳＣＤＭＡシステムに適用されるならば、
前記コントロールモジュールは、
コアネットワーク（ＣＮ：Core Network）の中のメディアゲートウェイ（ＭＧＷ：Media Gateway）又はモバイルスイッチングセンタ（ＭＳＣ：Mobile Switching Center）であると共に、
前記システムがＰＳＴＮ又はインターネットで用いられるならば、
前記コントロールモジュールは、スイッチ又はルータであることを特徴とする請求項１２に記載のビデオフォン（ＶＰ）サービスにおけるリングバックトーン及びリングバックイメージの処理システム。
【請求項１４】
発呼ユーザ端末（ＵＥ）と、
着呼ユーザ端末（ＵＥ）と、を備え、
ＶＰサービスにおいてリングバックトーン及びリングバックイメージを処理するデバイスであって、
前記ビデオフォン（ＶＰ）サービスにおける前記発呼ユーザ端末（ＵＥ）がサポートしている音声及び画像の符号化フォーマットを取得するように構成された取得ユニットと、
前記リングバックトーン及びリングバックイメージを、ビデオフォン（ＶＰ）サービスのプロトコルによって規定されている音声及び画像のチャンネルを経由して、発呼ユーザ端末（ＵＥ）で再生するように構成された再生ユニットと、
を備えたことを特徴とするデバイス。
【請求項１５】
ＷＣＤＭＡ（Wideband Code Division Multiple Access）システム、
ＴＤ−ＳＣＤＭＡ（Time Division Synchronous Code Division Multiple Access）システム、
ＰＳＴＮ（Public Switched Telephone Network）、
及びインターネット、
のうち、少なくとも１つに適用可能であることを特徴とする請求項１４に記載のデバイス。
【請求項１６】
前記デバイスが前記ＷＣＤＭＡシステム又は前記ＴＤ−ＳＣＤＭＡシステムに適用されるならば、
前記デバイスは、コアネットワーク（ＣＮ：Core Network）の中のメディアゲートウェイ（ＭＧＷ：Media Gateway）又はモービルスイッチングセンタ（ＭＳＣ：Mobile Switching Center）であり、かつ
前記デバイスが前記ＰＳＴＮ又は前記インターネットに使用されるならば、
前記デバイスは、スイッチ又はルータ、
であることを特徴とする請求項１５に記載のデバイス。
【手続補正２】
【補正対象書類名】明細書
【補正対象項目名】０００１
【補正方法】変更
【補正の内容】
【０００１】
本発明は、通信技術分野に関し、特にテレビ電話（ＶＰ：Video Phone）の技術に関するものである。
【手続補正３】
【補正対象書類名】明細書
【補正対象項目名】００１２
【補正方法】変更
【補正の内容】
【００１２】
本発明に係るビデオフォン（ＶＰ）サービスにおけるリングバックトーン及びリングバックイメージの処理方法によれば、カスタマイズされたリングバックトーン及びリングバックイメージを、高品位かつ均質に提供することが可能である。
【手続補正４】
【補正対象書類名】明細書
【補正対象項目名】００１３
【補正方法】変更
【補正の内容】
【００１３】
また、本発明の他の実施態様に係るビデオフォン（ＶＰ）サービスにおけるリングバックトーン及びリングバックイメージの処理システムによれば、高品質が保証され、カスタマイズされたリングバックトーン及びリングバックイメージを供給することが可能である。
本発明の他の実施態様によれば、ビデオフォン（ＶＰ）サービスにおけるリングバックトーン及びリングバックイメージの処理システムを構成するデバイスを提供する。そのビデオフォン（ＶＰ）サービスによれば、高品質が保証され、カスタマイズされたリングバックトーン及びリングバックイメージを供給することが可能である。
【手続補正５】
【補正対象書類名】明細書
【補正対象項目名】００１６
【補正方法】変更
【補正の内容】
【００１６】
コントロールモジュールが、ビデオフォン（ＶＰ）シリーズのプロトコルによって規定されている音声及び画像のチャンネルを経由して、リングバックトーン及びリングバックイメージサービスを、発呼ユーザ端末（ＵＥ）で再生する段階。
【手続補正６】
【補正対象書類名】明細書
【補正対象項目名】００１７
【補正方法】変更
【補正の内容】
【００１７】
この方法は下記の時に実行される。すなわち、コントロールモジュールが、無線ネットワークコントローラ（ＲＮＣ）へ、呼出Alertingのダイレクトトランスファー（Direct Transfer）メッセージを送信する準備をする時、又は、コントロールモジュールが、無線アクセスベアラー（ＲＡＢ）のアサインメントレスポンス（Assignment Response）を受信した後であって無線ネットワークコントローラ（ＲＮＣ）へ接続するためのダイレクトトランスファー（Direct Transfer）メッセージを送信する準備をする前に実行される。
【手続補正７】
【補正対象書類名】明細書
【補正対象項目名】００１８
【補正方法】変更
【補正の内容】
【００１８】
前記方法には、さらに下記段階を含んでいる。
すなわち、コントロールモジュールが、ビデオフォン（ＶＰ）サービスにおける着呼ユーザ端末（ＵＥ）から、接続又は切断のメッセージを受信した後に、リングバックトーン及びリングバックイメージの再生を停止する段階。
【手続補正８】
【補正対象書類名】明細書
【補正対象項目名】００１９
【補正方法】変更
【補正の内容】
【００１９】
音声及び画像の符号化フォーマットを得る段階では、以下の段階を含んでいる。すなわち、発呼ユーザ端末（ＵＥ）と着呼ユーザ端末（ＵＥ）との間で相互の情報構成要素（ＩＥｓ）を解析する段階。
【手続補正９】
【補正対象書類名】明細書
【補正対象項目名】００２０
【補正方法】変更
【補正の内容】
【００２０】
前記方法にはさらに下記段階を含んでいる。
すなわち、発呼ユーザ端末（ＵＥ）と着呼ユーザ端末（ＵＥ）との間で送信されたリングバックトーン及びリングバックイメージを、コントロールモジュールによって遮蔽する段階。
【手続補正１０】
【補正対象書類名】明細書
【補正対象項目名】００２１
【補正方法】変更
【補正の内容】
【００２１】
また、音声及び画像の符号化フォーマットを得る段階では、以下の段階を含んでいる。
コントロールモジュールと発呼ユーザ端末（ＵＥ）との間で、音声及び画像の符号化フォーマットを、予め、要求するか又は解析する段階。
リングバックトーン及びリングバックイメージが、６４ＫｂｓのＣＳトラフィックチャンネルを経由して、発呼ユーザ端末（ＵＥ）で再生される段階。
【手続補正１１】
【補正対象書類名】明細書
【補正対象項目名】００２２
【補正方法】変更
【補正の内容】
【００２２】
さらに、前記方法は、ＷＣＤＭＡ（Wideband Code Division Multiple Access）システム、ＴＤ−ＳＣＤＭＡ（Time Division Synchronous Code Division Multiple Access）システム、ＰＳＴＮ（Public Switched Telephone Network）、及びインターネットのうち、少なくとも１つに適合する。
そして、前記方法が、ＷＣＤＭＡシステム又は前記ＴＤ−ＳＣＤＭＡシステムに適合する時、コントロールモジュールは、コアネットワーク（ＣＮ：Core Network）の中のメディアゲートウェイ（ＭＧＷ：Media Gateway）又はモービルスイッチングセンタ（ＭＳＣ：Mobile Switching Center）である。
一方、前記方法が、ＰＳＴＮ又はインターネットに適合する時、コントロールモジュールは、スイッチ又はルータである。
【手続補正１２】
【補正対象書類名】明細書
【補正対象項目名】００２３
【補正方法】変更
【補正の内容】
【００２３】
そして、前記方法が、発呼ユーザ端末（ＵＥ）へリングバックトーン及びリングバックイメージを送信する時、ピア（ｐｅｅｒ）ユーザ端末（ＵＥ）へデータを転送する代わりにユーザ端末（ＵＥ）データを遮蔽する。そして、コアネットワーク（ＣＮ）とユーザ端末（ＵＥ）の間でビデオフォン（ＶＰ）リンクを維持する。
【手続補正１３】
【補正対象書類名】明細書
【補正対象項目名】００２４
【補正方法】変更
【補正の内容】
【００２４】
本発明に係る他の実施形態として、コントロールモジュールと、発呼ユーザ端末（ＵＥ）と、着呼ユーザ端末（ＵＥ）と、を備えたビデオフォン（ＶＰ）サービスにおけるリングバックトーン及びリングバックイメージの処理システムがある。
前記コントロールモジュールは、前記ビデオフォン（ＶＰ）サービスにおける発呼ユーザ端末（ＵＥ）がサポートしている音声及び画像の符号化フォーマットを取得して、それに適合する取得ユニットを備えている。さらに、前記コントロールモジュールは、リングバックトーン及びリングバックイメージを、ビデオフォン（ＶＰ）サービスのプロトコルによって規定されている音声及び画像のチャンネルを経由して、発呼ユーザ端末（ＵＥ）へ再生することが可能である再生ユニットと、を備えている。
【手続補正１４】
【補正対象書類名】明細書
【補正対象項目名】００２５
【補正方法】変更
【補正の内容】
【００２５】
本発明に係る他の実施態様として、ビデオフォン（ＶＰ）サービスにおけるリングバックトーン及びリングバックイメージの処理システムを構成するデバイスがある。
このデバイスは、発呼ユーザ端末（ＵＥ）がサポートしている音声及び画像の符号化フォーマットを取得して、それに適合する取得ユニットを備えている。さらに、前記デバイスは、リングバックトーン及びリングバックイメージを、ビデオフォン（ＶＰ）サービスのプロトコルによって規定されている音声及び画像のチャンネルを経由して、発呼ユーザ端末（ＵＥ）へ再生することが可能である再生ユニットを備えている。
【国際調査報告】
2008533778.tif 000009
2008533778.tif 000010
2008533778.tif 000011
2008533778.tif 000012
2008533778.tif 000013
2008533778.tif 000014